(57)【要約】【課題】  子局数が増加した場合でも、短時間での回線割り当てを実現できるポーリング方式を提供することにある。【解決手段】  通信システムは、親局１０と複数の子局３０−１，…，３０−Ｎとからなる。親局１０と子局３０−１，…，３０−Ｎとの間で通信を行なう複数の双方向の通信チャネルを有する。親局１０が子局３０−１，…，３０−Ｎに対して周期的にポーリング信号を送信し、ポーリング信号を受信した子局が通信要求を送信し、通信要求を受信した親局が子局との間に通信チャネルを割り当てる。親局１０は、回線の割り当てられていない複数の下り通信チャネルを介して、回線の割り当てられていない子局３０−１，３０−２，…，３０−Ｎ−２，３０−Ｎに対して複数のポーリング信号を同時に送信し、ポーリング信号を受信した複数の子局が、ポーリング信号を受信した下り通信チャネルと対を成す上り通信チャネルを介して、同時に通信要求を送信する。【選択図】  図２
2006287354.tif 000002
【特許請求の範囲】
【請求項１】
親局と複数の子局とからなり、前記親局と前記子局との間で通信を行なう複数の双方向の通信チャネルを有し、前記親局が前記子局に対して周期的にポーリング信号を送信し、ポーリング信号を受信した子局が通信要求を送信し、通信要求を受信した親局が該子局との間に通信チャネルを割り当てる通信システムに用いられるポーリング方式であって、
前記親局は、回線の割り当てられていない複数の下り通信チャネルを介して、前記回線の割り当てられていない子局に対して複数のポーリング信号を同時に送信し、ポーリング信号を受信した複数の子局が、ポーリング信号を受信した下り通信チャネルと対を成す上り通信チャネルを介して、同時に通信要求を送信することを特徴とするポーリング方式。
【請求項２】
親局と複数の子局とからなり、前記親局と前記子局との間で通信を行なう複数の双方向の通信チャネルを有し、前記親局が前記子局に対して周期的にポーリング信号を送信し、ポーリング信号を受信した子局が通信要求を送信し、通信要求を受信した親局が該子局との間に通信チャネルを割り当てる通信システムに用いられるポーリング方式であって、
前記親局は、下り通信チャネルとして、複数の通信チャネルを時分割多重したＴＤＭ回線を使用して、回線の割り当てられていない下り通信チャンネルを介して、前記回線の割り当てられていない子局に対してポーリング信号を同時に送信し、ポーリング信号を受信した複数の子局が、ポーリング信号を受信した下り通信チャネルと対を成す上り通信チャネルを介して、同時に通信要求を送信することを特徴とするポーリング方式。
【請求項３】
親局と複数の子局とからなり、前記親局と前記子局との間で通信を行なう複数の双方向の通信チャネルを有し、前記親局が前記子局に対して周期的にポーリング信号を送信し、ポーリング信号を受信した子局が通信要求を送信し、通信要求を受信した親局が該子局との間に通信チャネルを割り当てる通信システムに用いられるポーリング方式であって、
前記親局は、下り回線チャンネルを用いて、回線の割り当てられていない前記子局を指定した単一のポーリング信号を送信し、ポーリング信号によって指定された複数の子局が、複数の上り通信チャネルを介して同時に通信要求を送信することを特徴とするポーリング方式。
【発明の詳細な説明】
【技術分野】
【０００１】
本発明は、親局が全ての子局に対して周期的にポーリング信号を送出して、子局からの通信要求を受信する、ポーリング方式に関する。
【背景技術】
【０００２】
従来のポーリング方式としては、例えば、特開平８−３０７４３４号公報に記載のように、親局が複数の子局に対してポーリング信号を送信する場合、単一の下り制御チャネルを介して、個々の子局に対して順次ポーリング信号を送信し、ポーリング信号を受信した子局が、上り制御チャネルを介して１局毎に要求信号を送信するものが知られている。
【０００３】
【特許文献１】特開平８−３０７４３４号公報
【発明の開示】
【発明が解決しようとする課題】
【０００４】
しかしながら、特開平８−３０７４３４号公報に記載の方式では、単一の下り制御チャネルを介して親局が個々の子局に対するポーリング信号を順番に送信し、ポーリング信号を受信した子局が、単一の上り制御チャネルを介して要求信号を順次送信するため、子局数が増加した場合には、子局数に比例してポーリング信号の送信周期が長くなり、結果として子局に対する回線割り当てに要する時間が長くなるという問題があった。
【０００５】
本発明の目的は、子局数が増加した場合でも、短時間での回線割り当てを実現できるポーリング方式を提供することにある。
【課題を解決するための手段】
【０００６】
（１）上記目的を達成するために、本発明は、親局と複数の子局とからなり、前記親局と前記子局との間で通信を行なう複数の双方向の通信チャネルを有し、前記親局が前記子局に対して周期的にポーリング信号を送信し、ポーリング信号を受信した子局が通信要求を送信し、通信要求を受信した親局が該子局との間に通信チャネルを割り当てる通信システムに用いられるポーリング方式であって、前記親局は、回線の割り当てられていない複数の下り通信チャネルを介して、前記回線の割り当てられていない子局に対して複数のポーリング信号を同時に送信し、ポーリング信号を受信した複数の子局が、ポーリング信号を受信した下り通信チャネルと対を成す上り通信チャネルを介して、同時に通信要求を送信するようにしたものである。  
かかる方式により、子局数が増加した場合でも、短時間での回線割り当てを実現できるものとなる。
【０００７】
（２）また、上記目的を達成するために、本発明は、親局と複数の子局とからなり、前記親局と前記子局との間で通信を行なう複数の双方向の通信チャネルを有し、前記親局が前記子局に対して周期的にポーリング信号を送信し、ポーリング信号を受信した子局が通信要求を送信し、通信要求を受信した親局が該子局との間に通信チャネルを割り当てる通信システムに用いられるポーリング方式であって、前記親局は、下り通信チャネルとして、複数の通信チャネルを時分割多重したＴＤＭ回線を使用して、回線の割り当てられていない下り通信チャンネルを介して、前記回線の割り当てられていない子局に対してポーリング信号を同時に送信し、ポーリング信号を受信した複数の子局が、ポーリング信号を受信した下り通信チャネルと対を成す上り通信チャネルを介して、同時に通信要求を送信するようにしたものである。  
かかる方式により、子局数が増加した場合でも、短時間での回線割り当てを実現できるものとなる。
【０００８】
（３）さらに、上記目的を達成するために、本発明は、親局と複数の子局とからなり、前記親局と前記子局との間で通信を行なう複数の双方向の通信チャネルを有し、前記親局が前記子局に対して周期的にポーリング信号を送信し、ポーリング信号を受信した子局が通信要求を送信し、通信要求を受信した親局が該子局との間に通信チャネルを割り当てる通信システムに用いられるポーリング方式であって、前記親局は、下り回線チャンネルを用いて、回線の割り当てられていない前記子局を指定した単一のポーリング信号を送信し、ポーリング信号によって指定された複数の子局が、複数の上り通信チャネルを介して同時に通信要求を送信するようにしたものである。  
かかる方式により、子局数が増加した場合でも、短時間での回線割り当てを実現できるものとなる。
【発明の効果】
【０００９】
本発明によれば、子局数が増加した場合でも、短時間での回線割り当てを実現できるものとなる。
【発明を実施するための最良の形態】
【００１０】
以下、図１〜図４を用いて、本発明の一実施形態によるポーリング方式について説明する。  
最初に、図１を用いて、本実施形態によるポーリング方式を用いるマルチアクセス通信システムの構成について説明する。  
図１は、本発明の一実施形態によるポーリング方式を用いるマルチアクセス通信システムの構成を示すシステムブロック図である。
【００１１】
本実施形態によるマルチアクセス通信システムは、親局１０と、複数の子局３０−１，３０−２，３０−３，…，３０−Ｎとからなる。親局１０と子局３０との間には、通信を行なう複数の双方向の通信チャネルを有している。親局１０は、通信衛星２０を介して、子局３０−１，３０−２，３０−３，…，３０−Ｎに対して周期的にポーリング信号を送出する。ポーリング信号を受信した子局３０−１，３０−２，３０−３，…，３０−Ｎは通信要求を送信する。通信要求を受信した親局１０は、ＤＡＭＡ制御により、通信要求を送信した子局との間に通信チャネルを割り当てる。
【００１２】
次に、図２を用いて、本実施形態によるポーリング方式について説明する。  
図２は、本発明の一実施形態によるポーリング方式を示すタイムチャートである。図２（Ａ）は、下り通信チャンネル１と上り通信チャンネル１の通信状態を示しており、以下、図２（Ｂ）〜図２（Ｆ）は、下り通信チャンネル２〜Ｎと上り通信チャンネル２〜Ｎの通信状態を示している。
【００１３】
図１に示した通信システムは、Ｎ個の下り通信チャネルとＮ個の上り通信チャネルとを有する。ここで、Ｎ個の通信チャネルの中でＭ個の通信チャネル（例えば、図２（Ｃ），図２（Ｅ）に示すように、通信チャンネル３，Ｎ−１）は、既に子局に割り当てられて通信中の状態にあるとする。
【００１４】
このような状態のとき、親局１０は、割り当てられていない（Ｎ−Ｍ）個の下り通信チャネル（図２（Ａ），図２（Ｂ），図２（Ｄ），図２（Ｆ）に示すように、下り通信チャンネル１，２，Ｎ−２，Ｎ）を介して、（Ｎ−Ｍ）個のポーリング信号を、（Ｎ−Ｍ）個の子局３０−１，３０−２，３０−Ｎ−２，３０−Ｎに、同時に送信する。自局向けのポーリング信号を受信した（Ｎ−Ｍ）局の子局３０−１，３０−２，３０−Ｎ−２，３０−Ｎは、図２（Ａ），図２（Ｂ），図２（Ｄ），図２（Ｆ）に示すように、受信した下り通信チャネルと対を成す上り通信チャネル１，２，Ｎ−２，Ｎを介して、同時に要求信号を送信する。
【００１５】
次に、図３を用いて、本実施形態による他のポーリング方式について説明する。  
図３は、本発明の一実施形態による他のポーリング方式を示すタイムチャートである。図３（Ａ）は、下りＴＤＭ回線の通信状態を示しており、図３（Ｂ）〜図３（Ｇ）は、上り通信チャンネル１〜Ｎの通信状態を示している。
【００１６】
図１に示した通信システムは、１個の下りＴＤＭ回線とＮ個の上り通信チャネルとを有する。ここで、Ｎ個の通信チャネルの中でＭ個の通信チャネル（例えば、図３（Ｄ），図３（Ｆ）に示すように、通信チャンネル３，Ｎ−１）は、既に子局に割り当てられて通信中の状態にあるとする。
【００１７】
このような時、親局１０は、図３（Ａ）に示すように、N個の下り通信チャネルを時分割多重して、単一のＴＤＭ回線を送信する。親局１０は、図３（Ａ）のＴＤＭフレームの構成に示すように、ＴＤＭ回線に多重された下り通信チャネルの中で、割り当てられていない（Ｎ−Ｍ）個の下り通信チャネルを介して、（Ｎ−Ｍ）個のポーリング信号を１ＴＤＭフレームで送信する。
【００１８】
一方、自局向けのポーリング信号を受信した（Ｎ−Ｍ）局の子局３０−１，３０−２，３０−Ｎ−２，３０−Ｎは、受信した下り通信チャネルと対を成す上り通信チャネル１，２，Ｎ−２，Ｎを介して、同時に要求信号を送信する。
【００１９】
次に、図４を用いて、本実施形態によるその他のポーリング方式について説明する。  
次に、図４を用いて、本発明の一実施形態によるその他のポーリング方式を示すタイムチャートである。図４（Ａ）は、下り通信チャンネルの通信状態を示しており、図４（Ｂ）〜図４（Ｇ）は、上り通信チャンネル１〜Ｎの通信状態を示している。
【００２０】
図１に示した通信システムは、１個の下り通信チャンネルとＮ個の上り通信チャネルとを有する。ここで、Ｎ個の通信チャネルの中でＭ個の通信チャネル（例えば、図４（Ｄ），図４（Ｆ）に示すように、通信チャンネル３，Ｎ−１）は、既に子局に割り当てられて通信中の状態にあるとする。
【００２１】
親局１０は、図４（Ａ）に示すように、単一の下り通信チャネルを介して、複数の子局から成る子局グループに対して、単一のポーリング信号を送信する。自局の収容されている子局グループ向けのポーリング信号を受信した（Ｎ−Ｍ）局の子局３０−１，３０−２，３０−Ｎ−２，３０−Ｎは、ポーリング信号により指定された上り通信チャネル１，２，Ｎ−２，Ｎを介して、同時に要求信号を送信する。
【００２２】
従来の方式では、親局が単一の制御チャネルを介してポーリング信号を送信する場合には、１回のポーリング信号の送信から要求信号の受信までに（ｍ）秒が必要とすると、全ての子局に対してポーリング信号送信するためには、子局数を（Ｋ）局とすると（m×Ｋ）秒が必要である。
【００２３】
これに対して、Ｎ個の通信チャネルの中で割り当てられていない（Ｎ−Ｍ）個の使用されていない通信チャネルを介してポーリング信号を送信することにより、全ての子局に対してポーリング信号を送出する時間を、（（m×Ｋ）／（Ｎ−Ｍ））秒に短縮することができる。
【図面の簡単な説明】
【００２４】
【図１】本発明の一実施形態によるポーリング方式を用いるマルチアクセス通信システムの構成を示すシステムブロック図である。
【図２】本発明の一実施形態によるポーリング方式を示すタイムチャートである。
【図３】本発明の一実施形態による他のポーリング方式を示すタイムチャートである。
【図４】本発明の一実施形態によるその他のポーリング方式を示すタイムチャートである。
【符号の説明】
【００２５】
１０…親局
２０…通信衛星
３０−１，３０−２，３０−３，…，３０−Ｎ…子局
【図１】
2006287354.tif 000003
【図２】
2006287354.tif 000004
【図３】
2006287354.tif 000005
【図４】
2006287354.tif 000006